(57)【要約】  【課題】ダクト内を流れる冷気や加熱された空気の熱損失を低減することができる自動販売機を提供するものである。  【解決手段】ダクト８の側面に断熱材１３を配設することにより、ダクトの壁面を伝わる熱伝導によりダクトの外に熱が逃げるのを抑制することができ、熱損失を低減することができる。また、ポリプロピレン発泡体などの成形可能な断熱材１３を用いることで、耐熱性に優れ、断熱材１３の熱変形を防止できる自動販売機を提供することができるものである。【選択図】図２
2007094500.tif 000002
【特許請求の範囲】
【請求項１】
庫内の熱交換器を囲う枠体と、前記枠体と連結されるダクトと、前記ダクトの上部に隙間を設けて設置されるシュータを備え、前記ダクトを庫内側面から所定空間だけ離間させた姿勢で配設し、前記ダクトの側面に断熱材を配設したことを特徴とする自動販売機。
【請求項２】
庫内底部に這わしている電気コードを断熱材で覆ったことを特徴とする請求項１に記載の自動販売機。
【請求項３】
庫内の熱交換器を囲う枠体と、前記枠体と連結されるダクトと、前記ダクトの上部に隙間を設けて設置されるシュータを備え、前記枠体と、前記ダクトと、庫内底面および庫内側面とで囲まれる空間に断熱材を敷設したことを特徴とする請求項１または２に記載の自動販売機。
【請求項４】
前記断熱材をダクト形状に合わせて発泡成型したことを特徴とする請求項１から３のいずれか一項に記載の自動販売機。
【発明の詳細な説明】
【技術分野】
【０００１】
本発明は、自動販売機の庫内下部風路の断熱構造に関するものである。
【背景技術】
【０００２】
従来、この種の自動販売機の断熱構造は、庫内下部に設けられたダクトを周囲壁面から所定空間だけ離間させることにより、壁面での熱伝達を抑制し、冷却効率または加温効率を向上させている（例えば、特許文献１参照）。
【０００３】
図５は、特許文献１に記載された従来の自動販売機の断熱構造を示すものである。図５に示すように、自動販売機本体１における断熱構造の内箱２内である庫内３の下部に、庫内３の上部側から空気を導入する導入ダクト４と、導入ダクト４からの空気を手前側に送る送風ファン５と、空気を冷却する蒸発器６と、空気を加熱するヒータ７とが配設されている。また、ヒータ７を覆うヒータユニットカバーがダクト８により構成され、このダクト８が、ヒータ７を覆うだけでなく、蒸発器６で冷却された空気やヒータ７で加熱された空気を手前側および上方側に導くように構成されている。そしてこのダクト８が、内箱２の底面２ａおよび側面から所定空間だけ離間させた姿勢で配設されている。
【０００４】
以上のように構成された自動販売機について、以下その動作を説明する。
【０００５】
庫内３の空気は、庫内３背面に沿って配置された導入ダクト４から吸引された後、庫内３下端の送風ファン５により手前側に送られ、冷却時には蒸発器６により冷却され、また、加温時にはヒータ７により加熱される。そして、この冷却もしくは加熱された空気がダクト８から手前側および上方側に導かれて、収納コラムに収納された商品を冷却もしくは加温する。
【０００６】
このとき、ダクト８は、内箱２の底面２аおよび側面から所定空間だけ離間させた姿勢で配設されているので、ダクト８と内箱２の底面２аおよび側面との間に空気の断熱層が形成されることとなり、内箱２の底面２аや側面に接している空気は、ダクト８により送られている冷却された空気または加熱された空気よりも、高温または低温に維持される。
【０００７】
この結果、ダクト８を内箱２の底面２аや側面に密着させて配設した場合と比べて、内箱２の底面２аにおける内壁面と外壁面との間の温度差、ならびに、内箱２の側面における内壁面と外壁面との間の温度差がそれぞれ減少し、温度勾配が小さくなって、内箱２の底面２аや側面からの熱が比較的伝達され難い状態となる。したがって、ダクト８を通る冷気や加熱された空気が、温められたり冷却されたりすることが最小限に抑えられながら、庫内で循環されるため、熱効率が良好となり、省エネルギーとなって電気代が抑えられる。
【特許文献１】特開２００４−１６２９６０号公報
【発明の開示】
【発明が解決しようとする課題】
【０００８】
しかしながら、上記従来の構成では、ダクトと内箱の底面および側面との間に空気の断熱層を形成しているが、ダクトを断熱していないので、ダクト内の空気の熱がダクトを伝熱してダクト外の空気に逃げてしまい、ダクト外の空気断熱層の効果が著しく低下し、熱損失が増大するという課題を有していた。
【０００９】
本発明は、上記従来の課題を解決するもので、ダクト内を流れる冷気や加熱された空気の熱損失を低減する自動販売機を提供することを目的とする。
【課題を解決するための手段】
【００１０】
上記従来の課題を解決するために、本発明の自動販売機は、ダクトの側面に断熱材を配設したものであり、ダクト内の空気の熱がダクトを伝熱してダクト外の空気に逃げるのを抑制し、熱損失を低減する。
【００１１】
また、ポリプロピレン発泡体などの成形可能な断熱材を用いることで、耐熱性に優れ、断熱材の熱変形を防止できる。
【発明の効果】
【００１２】
本発明の自動販売機は、ダクト内を流れる冷気や加熱された空気のダクトを伝熱して逃げる熱損失を低減することができる。
【発明を実施するための最良の形態】
【００１３】
請求項１に記載の発明は、庫内の熱交換器を囲う枠体と、前記枠体と連結されるダクトと、前記ダクトの上部に隙間を設けて設置されるシュータを備え、前記ダクトを庫内側面から所定空間だけ離間させた姿勢で配設し、前記ダクトの側面に断熱材を配設したことにより、ダクト内を流れる冷気や加熱された空気が、ダクトを伝熱してダクト外の空気に逃げるのを抑制し、熱損失を低減することができる。
【００１４】
請求項２に記載の発明は、請求項１に記載の発明において、庫内底部に這わしている電気コードを断熱材で覆ったものであり、電気コードを伝わる熱を抑制し、熱損失をさらに低減できる。
【００１５】
請求項３に記載の発明は、請求項１または２に記載の発明において、庫内の熱交換器を囲う枠体と、前記枠体と連結されるダクトと、前記ダクトの上部に隙間を設けて設置されるシュータを備え、前記枠体と、前記ダクトと、庫内底面および庫内側面とで囲まれる空間に断熱材を敷設したものであり、庫内下部空間が断熱材で埋められるため、ダクト壁面および仕切板を伝熱する熱損失を低減できるとともに、気流の循環する容積が減少し、省エネが図れる。
【００１６】
請求項４に記載の発明は、請求項１から３のいずれか一項に記載の発明において、前記断熱材をダクト形状に合わせて発泡成型したものであり、製造時の敷設作業が簡単になり、製造工数を削減できる。
【００１７】
以下本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１８】
（実施の形態１）
図１は、本発明の実施の形態１における自動販売機の縦断面図である。図２は、本発明の実施の形態１における自動販売機の庫内下部上面図である。
【００１９】
図１、図２において、庫内の熱交換器１０を囲う枠体１１と、枠体１１と連結されるダクト８と、ダクト８の上面は開口し、ダクト８上面の上部に隙間を設けて設置されるシュータ１２を備えるとともに、ダクト８を庫内側面２ｂから所定空間だけ離間させた姿勢で配置し、ダクト８の側面に断熱材１３を配設している。
【００２０】
また、庫内底部に這わしている電気コード１４は、断熱材１５で覆われている。
【００２１】
以上のように構成された自動販売機について、以下その動作、作用を説明する。
【００２２】
まず、枠体１１内の熱交換器１０により冷却または加熱された空気は、送風ファン５により枠体１１と連結されたダクト８に導かれ、シュータ１２に設けられた孔あるいは、ダクト８とシュータの隙間から上方側に吹出され、収納コラムに収納された商品を冷却もしくは加温する。
【００２３】
このとき、ダクト内壁はダクト８内を流れる冷気あるいは加熱された空気にさらされており、ダクト壁面内部を伝わる熱伝導によりダクトの外に熱を逃がすように作用するが、ダクト外壁に設けられた断熱材１３により、熱移動を抑制することができる。
【００２４】
また、庫内底部を這わしている電気コード１４を、断熱材１５で覆うことにより、電気コードを伝わって庫内の熱が逃げるのを抑制する。
【００２５】
以上のように、本実施の形態においては、ダクト８の側面に断熱材１３を配設することにより、ダクトの壁面を伝わる熱伝導によりダクトの外に熱が逃げるのを抑制することができ、熱損失を低減することができる。
【００２６】
また、庫内底部に這わしている電気コード１４を断熱材１５で覆うことにより、電気コードを伝わる熱を抑制し、熱損失をさらに低減できる。
【００２７】
なお、本実施の形態の断熱材１３の厚みを、１０〜３０ｍｍとすることにより、適切な断熱効果を発揮させながら、断熱材１３のコスト増加を抑えることができる。
【００２８】
また、本実施の形態の断熱材１５の厚みを、５〜１０ｍｍとすることにより、効果的な断熱効果を維持しつつ、断熱材１５のコスト増加を抑制することができる。
【００２９】
（実施の形態２）
図３は、本発明の実施の形態２における自動販売機の庫内下部上面図である。
【００３０】
図３において、枠体１１と、ダクト８と、庫内底面および庫内側面２ｂとで囲まれる空間に複数の断熱材１６を敷設している。
【００３１】
以上のように構成された自動販売機について、以下その動作、作用を説明する。
【００３２】
ダクト８とシュータ１２の隙間から溢れる冷気もしくは加熱された空気が、庫内側面２ｂに直接接触すると、庫内側面２ｂを伝熱して比較的大きな熱損失が発生してしまう。この熱損失を低減するために、ダクト８と庫内側面２ｂの間の空間に、複数の断熱材１６をブロックを嵌め込むように敷設し、冷気もしくは加熱された空気が、庫内側面２ｂと直接接触しないようにする。
【００３３】
以上のように、本実施の形態においては、枠体１１と、ダクト８と、庫内底面および庫内側面２ｂとで囲まれる空間に、断熱材１６をブロックを嵌め込むように敷設することにより、冷気もしくは加熱された空気が、庫内側面２ｂと直接接触して熱損失が増大するのを防止できるとともに、気流の循環する容積が減少して省エネが図れる。
【００３４】
（実施の形態３）
図４は、本発明の実施の形態３における自動販売機の庫内下部上面図である。
【００３５】
図４において、枠体１１と、ダクト８と、庫内底面および庫内側面とで囲まれる空間に、ダクト形状に合わせて発泡成型した断熱材１７を敷設している。
【００３６】
以上のように構成された自動販売機について、以下その動作、作用を説明する。
【００３７】
ダクト８と庫内側面２ｂの空間に敷設する断熱材は、複数個のブロック状の断熱材の集合体ではなく、ダクト形状に合わせて発泡成型した一対の断熱材１７であるため、製造時の敷設作業が簡単になる。
【００３８】
以上のように、本実施の形態においては、枠体１１と、ダクト８と、庫内底面および庫内側面２ｂとで囲まれる空間に、ダクト形状に合わせて発泡成型した一対の断熱材を敷設するため、製造時の敷設作業が簡単になり、製造工数を削減できる。
【００３９】
なお、断熱材としては、断熱性が高く熱変形の小さなポリプロピレン発泡体（例えば、ＪＳＰ製ＥＰＰ−１５Ｐ）が望ましく、他の断熱材である発泡スチロールでは、７０℃以上の雰囲気下での熱変形の問題が発生し、ウレタンでは、耐熱性は高くなるが、吸湿性を有するという問題が発生するため、好ましくない。
【産業上の利用可能性】
【００４０】
以上のように、本発明にかかる自動販売機は、ダクト内を流れる冷気や加熱された空気の熱損失を低減することが可能となるので、冷温蔵庫等の用途にも適用できる。
【図面の簡単な説明】
【００４１】
【図１】本発明の実施の形態１における自動販売機の縦断面図
【図２】本発明の実施の形態１における自動販売機の庫内下部上面図
【図３】本発明の実施の形態２における自動販売機の庫内下部上面図
【図４】本発明の実施の形態３における自動販売機の庫内下部上面図
【図５】従来の自動販売機の断熱構造を示す図
【符号の説明】
【００４２】
２ｂ  庫内側面
８    ダクト
１０  熱交換器
１１  枠体
１２  シュータ
１３  断熱材
１４  電気コード
１５  断熱材
１６  断熱材
１７  断熱材
【図１】
2007094500.tif 000003
【図２】
2007094500.tif 000004
【図３】
2007094500.tif 000005
【図４】
2007094500.tif 000006
【図５】
2007094500.tif 000007